(57)【要約】【課題】濃度センサーを利用することなく、すすぎ水の流入によって希釈されてしまう、食器洗浄機の洗浄水の洗剤濃度を適正濃度に安定的に維持する食器洗浄機用の洗剤供給装置並びに洗剤供給方法を提供すること。【解決手段】開閉バルブの開放時間によって食器洗浄機の洗浄水に対する洗剤供給量を制御する洗剤供給装置並びに洗剤供給方法において、食器洗浄機の洗浄水タンクに定量のすすぎ水を供給するすすぎポンプの作動を感知して開閉バルブを開放すると共に、供給された定量のすすぎ水の洗剤濃度を適正濃度に維持する量の洗剤の供給に必要な時間の経過をもって開閉バルブを閉鎖するよう制御する。【選択図】図２
2009066103.tif 000002
【特許請求の範囲】
【請求項１】
洗浄水タンクにすすぎ水と洗剤を供給して得た洗浄水を循環利用して食器などを洗浄すると共にすすぎ水だけですすぎ洗いを施すよう構成され、すすぎ水の１回の供給量が定量である食器洗浄機に対して、新たなすすぎ水の供給によって希釈される洗浄水の洗剤濃度を適正な濃度に維持する量の洗剤を供給するよう構成された食器洗浄機用の洗剤供給装置であって、収容された固形洗剤に水を散布若しくは噴射して洗剤溶液とする洗剤供給器と、該洗剤溶液を洗剤供給器から食器洗浄機の洗浄水タンクへ供給する供給パイプと、前記洗剤供給器に固形洗剤溶解用の水を供給する給水パイプと、該給水パイプに介設された開閉バルブとからなる食器洗浄機用の洗剤供給装置において、前記食器洗浄機における前記すすぎ水の新たな供給を感知して前記開閉バルブを開放すると共に、前記新たなすすぎ水の供給によって希釈される前記洗浄水の洗剤濃度を適正な濃度にする量の前記洗剤溶液を供給するため必要な時間の経過をもって前記開閉バルブを閉鎖する制御手段を備えたこと、を特徴とする食器洗浄機用の洗剤供給装置。
【請求項２】
前記開閉バルブが電磁バルブであり、前記制御手段が前記食器洗浄機に設けられたすすぎポンプの電源部に接続すべき前記電磁バルブの電源ケーブルと、前記すすぎ水を供給する前記すすぎポンプの作動による前記電磁バルブの通電開放を感知すると共に前記洗剤溶液を供給するため必要な時間の経過をもって前記電磁バルブを閉鎖するよう設定された制御回路とからなること、を特徴とする請求項１に記載の食器洗浄機用の洗剤供給装置。
【請求項３】
洗浄水タンクにすすぎ水と洗剤を供給して得た洗浄水を循環利用して食器などを洗浄すると共にすすぎ水だけですすぎ洗いを施すよう構成され、すすぎ水の１回の供給量が定量である食器洗浄機に対して、新たなすすぎ水の供給によって希釈される洗浄水の洗剤濃度を適正な濃度に維持する量の洗剤を供給するよう構成された食器洗浄機用の洗剤供給装置であって、収容された固形洗剤に水を散布若しくは噴射して洗剤溶液とする洗剤供給器と、該洗剤溶液を洗剤供給器から食器洗浄機の洗浄水タンクへ供給する供給パイプと、前記洗剤供給器に固形洗剤溶解用の水を供給する給水パイプと、該給水パイプに介設された開閉バルブとからなる食器洗浄機用の洗剤供給装置を用いる洗剤供給方法において、前記食器洗浄機における前記すすぎ水の新たな供給を感知して前記開閉バルブを開放すると共に、前記新たなすすぎ水の供給によって希釈される前記洗浄水の洗剤濃度を適正な濃度にする量の前記洗剤溶液を供給するため必要な時間の経過をもって前記開閉バルブを閉鎖すること、を特徴とする洗剤供給方法。
【請求項４】
前記開閉バルブに電磁バルブを用い、該電磁バルブの電源ケーブルを前記食器洗浄機に設けられたすすぎポンプの電源部に接続し、前記すすぎ水を供給する前記すすぎポンプの作動によって前記電磁バルブを通電開放すると共に、前記洗剤溶液を供給するため必要な時間の経過をもって前記電磁バルブを閉鎖すること、を特徴とする請求項３に記載の洗剤供給方法。
【発明の詳細な説明】
【技術分野】
【０００１】
本発明は、食器洗浄機用の洗剤供給装置並びにその洗剤供給方法、さらに詳しくは、濃度センサーを用いることなく、食器洗浄機の洗浄水の適正な洗剤濃度を安定的に維持する、食器洗浄機用の洗剤供給装置並びにその洗剤供給方法に関する。
【背景技術】
【０００２】
食器洗浄機は、業務用を中心に広く普及・浸透しており、その中でも、洗浄水タンクにすすぎ水と洗剤を供給・貯留して洗浄水とし、この洗浄水を循環利用して食器などの被洗浄物を洗浄すると共に、すすぎ水だけを用いて洗浄後の被洗浄物にすすぎ洗いを施すものが、最も一般的に利用されている。
【０００３】
図４に示されたものが、この種従来の食器洗浄機の一例で、食器洗浄機４の本体が上下に区画され、上部に食器など被洗浄物を収容して洗浄水による洗浄とすすぎ水によるすすぎ洗いを施す洗浄室５を配置し、下部に洗浄水を貯留する洗浄水タンク６と、すすぎポンプ７や洗浄ポンプ８などの機器類を配置している。
【０００４】
洗浄室５の空間の上下には、洗浄水を噴射して被洗浄物を洗浄するための洗浄ノズル５１とすすぎ水を噴射してすすぎ洗いを行うすすぎノズル５２が一対ずつ設けられており、洗浄ノズル５１に対しては、洗浄水タンク６にすすぎ水と適正量の洗剤を供給して貯留した洗浄水６１を洗浄ポンプ８で加圧供給し、洗浄後の洗浄水６１は洗浄水タンク６に流下して循環使用される。
【０００５】
また、すすぎノズル５２に対しては、すすぎ水タンク９に貯留され加温されたすすぎ水９１をすすぎポンプ７で加圧供給し、すすぎノズル５２から噴射されたすすぎ水９１も洗浄水タンク６に流下し、洗浄水６１として循環使用されている。
【０００６】
従来の主要な食器洗浄機は、このような構成を採っており、洗浄水タンク６に貯留された洗浄水６１を循環利用して洗浄を繰り返す間に、すすぎ洗いのため新たに供給されるすすぎ水９１が洗浄水６１に流入して洗浄水６１の洗剤濃度を希釈してしまうから、流入したすすぎ水９１の量に対応し、洗浄水６１の洗剤濃度を適正な濃度に維持するために必要な量の洗剤が供給されなければならない。
【０００７】
このため、新たに供給されることで洗浄水６１の洗剤濃度を希釈するすすぎ水９１の供給量に対応する適量の洗剤を供給して、洗浄水６１の洗剤濃度を適正濃度に維持する、食器洗浄機用の洗剤供給器や洗剤供給装置も既に提供され利用されている。
【０００８】
図３に示す洗剤供給装置は、最も一般的に提供・利用されているものの一例で、洗浄水６１の洗剤濃度を濃度センサーＳで検知し、この検知信号によって食器洗浄機４の洗浄水タンク６に対する洗剤の供給量を制御して、洗浄水６１の洗剤濃度を適正濃度に維持しようとするものである。
【０００９】
この種従来の洗剤供給装置は、網１１で支持した固形洗剤３の底部にノズル１２から水を散布若しくは噴射し洗剤溶液として供給する洗剤供給器１と、この洗剤溶液を食器洗浄機へ送る洗剤供給パイプ１４と、洗剤供給器１へ固形洗剤３を溶かすための水を供給する給水パイプ１３を有し、給水パイプ１３に電磁バルブ２１を介設すると共に、この電磁バルブ２１の開閉を制御する制御回路２２を配設し、ケーブル２５を介して濃度センサーＳを付設しており、電磁バルブ２１と制御回路２２を操作盤２に収容し、濃度センサーＳのケーブルもこの操作盤２の内部で接続している。
【００１０】
上記の洗剤供給装置の実施に当たっては、図４に示す通り、洗剤供給器１の洗剤供給パイプ１４の開放端部を食器洗浄機４の洗浄水タンク６に設けられた洗剤供給口６２に接続すると共に、濃度センサー４を洗浄水タンク６の適宜位置に設置し、洗浄水６１の洗剤濃度が事前に設定した限界濃度にまで低下した場合には、濃度センサーＳの検知信号に基づいて制御回路２２が電磁バルブ２１を開放して洗剤供給器１から洗浄水タンク６に対して洗剤を供給し、洗浄水６１の洗剤濃度が事前に設定した適正濃度に達すると、濃度センサーＳの検知信号によって制御回路２２が電磁バルブ２１を閉鎖して洗剤供給器１からの洗剤供給を停止する。
【００１１】
【特許文献１】特開２００４−１６７１６５号公報
【発明の開示】
【発明が解決しようとする課題】
【００１２】
上記のように、従来の食器洗浄機用の洗剤供給装置は、食器洗浄機の洗浄水の洗剤濃度を濃度センサーで検知し、濃度センサーが検知した洗浄水の洗剤濃度に応じて洗剤供給量を制御し、洗浄水の洗剤濃度を適正濃度に維持しようとするものであるが、次の点で大きな問題を抱えており、洗浄水の洗剤濃度を安定的に維持することができなかった。
【００１３】
すなわち、上記従来の洗剤供給装置では、洗浄水６１の洗剤濃度を検知する濃度センサーＳの検知信号に基づいて、洗剤供給器１に固形洗剤溶解用の水を供給する給水パイプ１３に介設された電磁バルブ２１を開閉して、洗剤供給器１から食器洗浄機４に供給される洗剤の量を制御している。
【００１４】
しかしながら、洗浄水６１の洗剤濃度が限界濃度まで低下し、濃度センサーＳの検知信号によって電磁バルブ２１が開放されても、洗剤供給器１の内部に供給すべき洗剤溶液はないから、固形洗剤３を溶かし洗剤溶液として洗浄水タンク６へ供給するまでのタイムラグが生じざるを得ず、洗浄水６１の洗剤濃度は限界濃度を割り込むこととなる。
【００１５】
同様に、洗浄水６１の洗剤濃度が適正濃度に達し、濃度センサーＳの検知信号で電磁バルブ２１を閉鎖しても、洗剤供給器１の内部には既に固形洗剤３を溶かした洗剤溶液があり、適正濃度に達した洗浄水６１にさらにムダな洗剤を供給することになる。
【００１６】
このように、濃度センサーを利用した従来の洗剤供給装置では、洗浄水の洗剤濃度が大きく変化してムラを呈することとなり、洗浄水の適正な洗剤濃度を安定的に維持することができない。
【００１７】
また、濃度センサーを利用した従来の洗剤供給装置にあっては、食器洗浄機４の洗浄水タンク６に所定量のすすぎ水９１を供給・貯留した上で洗浄を開始し、洗浄開始と共に濃度センサーSで洗浄水６１の洗剤濃度を検知して洗剤を供給しているから、洗剤を含まない洗浄水で洗浄が開始されると共に、適正な洗剤濃度に達するまでは限界濃度以下の洗剤濃度で洗浄を行わざるを得ず、洗浄水の洗剤濃度を適正な濃度に維持するという点ではきわめて不安定であると言わなければならない。
【００１８】
さらに、濃度センサーは洗浄水の導電率の変化によって洗剤濃度を検知するが、洗浄水の導電率は洗剤濃度以外の条件によっても変化し、例えば、洗浄に伴って洗浄水の塩分濃度が高くなれば洗剤濃度の正確な検知が困難になるなど、洗浄水の洗剤濃度を安定的に維持する手段として、濃度センサーには基本的な信頼性を欠くところがある。
【００１９】
その他にも、濃度センサーを利用した従来の洗剤供給装置は、制御部を複雑にするため操作盤の小型化を阻み設置条件を大きく限定してしまうことや、濃度センサーと制御部の保守・点検・交換のコスト負担が大きいことも、問題点として長く指摘されてきた。
【００２０】
このように、濃度センサーを利用した従来の洗剤供給装置には多くの問題が伴うため、濃度センサーを利用しない洗剤供給装置や洗剤供給方法の提案もなされているが、例えば特許文献１が示すように、洗剤供給装置の制御や駆動を食器洗浄機の制御部や主要部品に大きく依存するものとなってしまっている。
【００２１】
しかし、この種の洗剤供給装置は、食器洗浄機の細かな仕様の違いを超えて実施できるものであることが望まれており、特定の食器洗浄機の制御部や主要部品に大きく依存する場合には、市場性を欠き実施の道を閉ざされることになる。
【００２２】
特許文献１に記載のところをはじめ、濃度センサーを利用しない洗剤供給装置や洗剤供給方法が、その技術的な優劣と関わりなく市場の受け入れるところとならず、濃度センサーを利用した上記の洗剤供給装置が、多くの問題を抱えているにも拘わらず、今も最も一般的な洗剤供給装置として利用されている理由は、ここにあるものと考えられる。
【００２３】
本発明は、従来例が不可避的に抱えていた問題を根絶・解消し、濃度センサーを利用することなく食器洗浄機の洗浄水の洗剤濃度を適正濃度に安定的に維持する食器洗浄機用の洗剤供給装置並びに洗剤供給方法を提供することを、課題とし目的とする。
【課題を解決するための手段】
【００２４】
請求項１の発明は、洗浄水タンクにすすぎ水と洗剤を供給して得た洗浄水を循環利用して食器などを洗浄すると共にすすぎ水だけですすぎ洗いを施すよう構成され、すすぎ水の１回の供給量が定量である食器洗浄機に対して、新たなすすぎ水の供給によって希釈される洗浄水の洗剤濃度を適正な濃度に維持する量の洗剤を供給するよう構成された食器洗浄機用の洗剤供給装置であって、収容された固形洗剤に水を散布若しくは噴射して洗剤溶液とする洗剤供給器と、該洗剤溶液を洗剤供給器から食器洗浄機の洗浄水タンクへ供給する供給パイプと、前記洗剤供給器に固形洗剤溶解用の水を供給する給水パイプと、該給水パイプに介設された開閉バルブとからなる食器洗浄機用の洗剤供給装置において、前記食器洗浄機における前記すすぎ水の新たな供給を感知して前記開閉バルブを開放すると共に、前記新たなすすぎ水の供給によって希釈される前記洗浄水の洗剤濃度を適正な濃度にする量の前記洗剤溶液を供給するため必要な時間の経過をもって前記開閉バルブを閉鎖する制御手段を備えたこと、を特徴とする食器洗浄機用の洗剤供給装置である。
【００２５】
請求項２の発明は、前記開閉バルブが電磁バルブであり、前記制御手段が前記食器洗浄機に設けられたすすぎポンプの電源部に接続すべき前記電磁バルブの電源ケーブルと、前記すすぎ水を供給する前記すすぎポンプの作動による前記電磁バルブの通電開放を感知すると共に前記洗剤溶液を供給するため必要な時間の経過をもって前記電磁バルブを閉鎖するよう設定された制御回路とからなること、を特徴とする請求項１に記載の食器洗浄機用の洗剤供給装置である。
【００２６】
請求項３の発明は、洗浄水タンクにすすぎ水と洗剤を供給して得た洗浄水を循環利用して食器などを洗浄すると共にすすぎ水だけですすぎ洗いを施すよう構成され、すすぎ水の１回の供給量が定量である食器洗浄機に対して、新たなすすぎ水の供給によって希釈される洗浄水の洗剤濃度を適正な濃度に維持する量の洗剤を供給するよう構成された食器洗浄機用の洗剤供給装置であって、収容された固形洗剤に水を散布若しくは噴射して洗剤溶液とする洗剤供給器と、該洗剤溶液を洗剤供給器から食器洗浄機の洗浄水タンクへ供給する供給パイプと、前記洗剤供給器に固形洗剤溶解用の水を供給する給水パイプと、該給水パイプに介設された開閉バルブとからなる食器洗浄機用の洗剤供給装置を用いる洗剤供給方法において、前記食器洗浄機における前記すすぎ水の新たな供給を感知して前記開閉バルブを開放すると共に、前記新たなすすぎ水の供給によって希釈される前記洗浄水の洗剤濃度を適正な濃度にする量の前記洗剤溶液を供給するため必要な時間の経過をもって前記開閉バルブを閉鎖すること、を特徴とする洗剤供給方法である。
【００２７】
請求項４の発明は、前記開閉バルブに電磁バルブを用い、該電磁バルブの電源ケーブルを前記食器洗浄機に設けられたすすぎポンプの電源部に接続し、前記すすぎ水を供給する前記すすぎポンプの作動によって前記電磁バルブを通電開放すると共に、前記洗剤溶液を供給するため必要な時間の経過をもって前記電磁バルブを閉鎖すること、を特徴とする請求項３に記載の洗剤供給方法である。
【発明の効果】
【００２８】
以上のように、本発明に係る食器洗浄機用の洗剤供給装置並びにその洗剤供給方法は、食器洗浄機におけるすすぎ水の供給を感知し、すすぎ水の供給によって希釈される洗浄水の洗剤濃度を適正な濃度にするために必要な量の洗剤を供給するよう構成されている。したがって、本発明によれば、濃度センサーを利用することなく、食器洗浄機の洗浄水の洗剤濃度を適正濃度に安定的に維持する食器洗浄機用の洗剤供給装置並びに洗剤供給方法を提供することができる。
【発明を実施するための最良の形態】
【００２９】
以下、本発明を実施するための最良の形態について、図面を参照して説明する。
【００３０】
図１は本発明に係る食器洗浄機用の洗剤供給装置の一例を示すもので、従来技術と同様に、網１１で支持された固形洗剤３の底部にノズル１２から水を散布若しくは噴射し洗剤溶液として供給する洗剤供給器１と、この洗剤溶液を食器洗浄機へ送る洗剤供給パイプ１４と、洗剤供給器１へ固形洗剤３を溶かすための水を供給する給水パイプ１３を有し、給水パイプ１３に電磁バルブ２１を介設すると共に、この電磁バルブ２１の開閉を制御する制御回路２２を配設し、これら電磁バルブ２１と制御回路２２を操作盤２に収容しているが、濃度センサーを利用するところはない。
【００３１】
その実施に当たっては、図２に示す通り、洗剤供給器１の供給パイプ１４の開放端部を食器洗浄機４の洗浄水タンク６に設けられた洗剤供給口６２に接続すると共に、電磁バルブ２１の電源ケーブル２３を、食器洗浄機４に設けられたすすぎポンプ７の電源部に接続するだけで足りる。
【００３２】
ここで、食器洗浄機４においては、すすぎポンプ７がすすぎ水タンク９からすすぎ水９１を上下一対のすすぎノズル５２に加圧供給しており、すすぎノズル５２から噴射されて洗浄水タンク６に流下するすすぎ水９１の量は、１回のすすぎポンプ７の作動（即ち、１回のすすぎ水９１の供給）について定量であるから、この定量のすすぎ水９１を適正な洗剤濃度にするために必要な洗剤の量は当然に算出できる。
【００３３】
また、この必要な洗剤量に照応する洗剤溶液を得るために、給水パイプ１３の電磁バルブ２１を開放して洗剤供給器１に固形洗剤を溶かす水を供給すべき時間も同様に算出できるから、制御回路２２は通電開放された電磁バルブ２１を算出された上記時間の経過をもって閉鎖するよう設定されている。
【００３４】
この結果、食器洗浄機４においてすすぎポンプ７が作動して定量のすすぎ水９１をすすぎノズル５２へ供給すると、すすぎポンプ７の電源部と電源ケーブル２３で接続された電磁バルブ２１が通電開放され、電磁バルブ２１の開放を感知した制御回路２２が設定された時間の経過をもって電磁バルブ２１を閉鎖するから、食器洗浄機４の洗浄水タンク６には新たに流下して加わる定量のすすぎ水９１を適正な洗剤濃度にする洗剤量の洗剤溶液が洗剤供給器１から供給されることとなり、すすぎ水９１の流入で希釈されるべき洗浄タンク６内の洗浄水６１の洗剤濃度が適正な濃度に維持される。
【００３５】
ここで、本実施形態に係る洗剤供給装置においては、食器洗浄機４のすすぎポンプ７が作動してすすぎ水９１の供給を開始すると、直ちに電磁バルブ２１が開放されて洗剤溶液の供給も開始される。
【００３６】
したがって、すすぎ水の流入により洗浄水の洗剤濃度が限界濃度まで低下するのを待って洗剤供給を開始する従来例と比較する場合、食器洗浄機４を稼働させる全洗浄工程において洗浄水６１の洗剤濃度が大きく変化することはなく、洗剤濃度は適正濃度若しくはその直近濃度で安定的に維持されることになる。
【００３７】
また、食器洗浄機４においてすすぎポンプ７が作動し定量のすすぎ水９１が新たに供給される度に、この定量のすすぎ水９１を適正な洗剤濃度とする洗剤量の洗剤溶液が供給されるから、例えば洗浄に先立ち、すすぎポンプ７を複数回作動させてすすぎ水９１を洗浄水タンク６に供給・貯留する場合にあっても、供給・貯留されたすすぎ水９１（定量×供給回数）を適正な洗剤濃度にする洗剤量の洗剤溶液が、すすぎ水９１の供給と同時平行して供給される。
【００３８】
したがって、洗浄の開始を待って洗剤を供給しなければならない従来の洗剤供給装置と異なり、洗浄開始時に洗剤を含まない洗浄水で洗浄が行われたり、或いは適正な洗剤濃度に達するまで限界濃度以下の低い洗剤濃度の洗浄水で洗浄が行われることも起き得ない。
【００３９】
このように、本発明に係る食器洗浄機用の洗剤供給装置並びに洗剤供給方法は、食器洗浄機においてすすぎ水が供給される度にすすぎ水の供給を感知し、供給されたすすぎ水を適正な洗剤濃度にするために必要な量の洗剤を供給することにより、食器洗浄機の洗浄水を適正な洗剤濃度に常に且つ安定的に維持することを実現するものであるが、濃度センサーを用いる従来の洗剤供給装置や洗剤供給方法が不可避的に抱えている、次に挙げる問題も、併せて解消する。
【００４０】
即ち、濃度センサーを利用した従来の洗剤供給装置や洗剤供給方法では、濃度センサーと制御部の保守・点検・交換に少なからぬ負担とコストが伴っていたが、本発明においては洗剤供給装置を構成する電磁バルブの電源ケーブルを食器洗浄機に設けられたすすぎポンプの電源部に接続するだけで足りるから、保守・点検・交換の負担とコストを大幅に低減することができる。
【００４１】
また、従来の洗剤供給装置は、濃度センサーで洗浄水の濃度を検知して洗剤供給を制御したため、制御部の構成が複雑化・大型化せざるを得ず、これが操作盤の小型化を阻み、結果として洗剤供給装置の設置条件を限ってしまっていたが、本発明に係る洗剤供給装置は制御部の構成が簡易であるため、従来は困難であった操作盤の小型化も可能であり、これがその実施を容易なものとし市場性を高めることになる。
【００４２】
さらに、本発明に係る洗剤供給装置や洗剤供給方法は、濃度センサーを用いたものに比べて、洗剤供給量にも大きな変化やムラを生じることがなく安定しているから、洗剤消費量−即ち、使用洗剤コスト−も抑制することができる。
【００４３】
なお、濃度センサーを用いた従来の洗剤供給装置や洗剤供給方法は、食器洗浄機の制御部や主要部品に依存するところが少なく、食器洗浄機の細かな仕様の相違に阻まれることなく実施できる点に商品としての優位性を持っていたものと推定されるが、本発明に係る洗剤供給装置や洗剤供給方法は従来例以上に食器洗浄機に依存するところが少なく、食器洗浄機の設定変更・部品交換・仕様改変を伴うことなく、より多様な食器洗浄機に実施することができる点でも優れた効果を奏することができる。
【図面の簡単な説明】
【００４４】
【図１】本発明に係る食器洗浄機用の洗剤供給装置の一例を示す一部切り欠き正面図である。
【図２】本発明に係る食器洗浄機用の洗剤供給装置の実施の状況を模式的に示す正面図である。
【図３】従来の食器洗浄機用の洗剤供給装置を示す一部切り欠き正面図である。
【図４】従来の食器洗浄機用の洗剤供給装置の実施の状況を模式的に示す正面図である。
【符号の説明】
【００４５】
１  洗剤供給器
２  操作盤
３  固形洗剤
４  食器洗浄機
５  洗浄室
６  洗浄水タンク
７  すすぎポンプ
８  洗浄ポンプ
９  すすぎ水タンク
１１  網
１２  ノズル
１３  給水パイプ
１４  洗剤供給パイプ
２１  電磁バルブ
２３  電源ケーブル
５１  洗浄ノズル
５２  すすぎノズル
６１  洗浄水
６２  洗剤供給口
９１  すすぎ水  
Ｓ  濃度センサー
【図１】
2009066103.tif 000003
【図２】
2009066103.tif 000004
【図３】
2009066103.tif 000005
【図４】
2009066103.tif 000006